【手続補正書】
【提出日】平成20年7月18日(2008.7.18)
【手続補正１】
【補正対象書類名】明細書
【補正対象項目名】特許請求の範囲
【補正方法】変更
【補正の内容】
【特許請求の範囲】
【請求項１】  遊技媒体を貯留可能な遊技媒体貯留手段と、遊技者に有利な状態を発生させるか否かを抽選する抽選手段と、の一方又は両方を設けた本体と、当該本体に開閉可能に取り付けられた扉と、を備えた遊技機において、
前記扉は、前記本体に対して軸着されたものであり、当該扉が前記本体に軸着されている軸方向に対して垂直な係止部を備えたものであり、かつ、前記本体は、前記扉が前記本体に軸着されている軸方向に対して垂直な係止受け部を備えたものであり、かつ、前記扉が前記本体に対して閉じた状態である場合には、前記扉における前記係止部が前記本体における前記係止受け部に対して係止されることにより、当該扉が前記本体に軸着されている軸方向に向かう当該扉の変位が制限され、前記扉が前記本体に対して開いている場合には、前記扉における前記係止部が前記本体における前記係止受け部に対して係止されず、前記本体に対して着脱自在であり、
前記本体若しくは前記扉のいずれかに当該扉を軸着させるための第一の突起部が備えられており、かつ、
前記本体若しくは前記扉のいずれかであり、当該第一の突起部が備えられた一とは異なる他に、当該第一の突起部と係合し、当該扉を軸着させるための第一の突起受け部が備えられており、かつ、
前記本体若しくは前記扉のいずれかに当該扉を軸着させるための第二の突起部が備えられており、かつ、
前記本体若しくは前記扉のいずれかであり、当該第二の突起部が備えられた一とは異なる他に、当該第二の突起部と係合し、当該扉を軸着させるための第二の突起受け部が備えられており、かつ、
前記第一の突起受け部は、弾性部材と、当該弾性部材の付勢に反して変位可能な変位部材と、当該第一の突起受け部が備えられた前記本体若しくは前記扉のいずれかに固定された固定部材とを備え、
前記変位部材の一端には、前記弾性部材が装着され、
前記固定部材には、前記第一の突起部が係合される切欠きが形成され、
当該切欠きの両側方には、前記変位部材をその中央で回動自在に軸着するための第一突起と、前記変位部材の他端を係止させるための第二突起が形成され、
前記扉が前記本体に対して開いている状態である場合において、前記弾性部材の付勢に反して前記変位部材を変位させたときには、前記変位部材の他端が前記第一の突起部の係止から逃れ前記第一の突起部を挿脱可能な状態とするものであり、
前記第一の突起部を前記第一の突起受け部から脱した場合には、前記扉を前記本体に対して脱することが可能となり、
前記本体には、板形状の支持板が装着されており、
前記扉には、その後方に突出し下方に半円状の弧が向くように設けられた半円形状の補助部材が装着されており、
前記支持板は、前記扉が前記本体に対して開放した状態から閉じた状態にされる場合には、半円形状である前記補助部材の下方である半円状の縁端を下方から支持することを特徴とする遊技機。
【請求項２】  前記第一の突起部、前記第一の突起受け部、前記第二の突起部、前記第二の突起受け部の中で、前記本体に備えられたものは、一体に設けられていることを特徴とする請求項１記載の遊技機。
【請求項３】  前記第一の突起部、前記第一の突起受け部、前記第二の突起部、前記第二の突起受け部の中で、前記扉に備えられたものは、一体に設けられていることを特徴とする請求項１又は２記載の遊技機。
【手続補正２】
【補正対象書類名】明細書
【補正対象項目名】００１１
【補正方法】変更
【補正の内容】
【００１１】
【課題を解決するための手段】
遊技媒体を貯留可能な遊技媒体貯留手段と、遊技者に有利な状態を発生させるか否かを抽選する抽選手段と、の一方又は両方を設けた本体と、当該本体に開閉可能に取り付けられた扉と、を備えた遊技機において、前記扉は、前記本体に対して軸着されたものであり、当該扉が前記本体に軸着されている軸方向に対して垂直な係止部を備えたものであり、かつ、前記本体は、前記扉が前記本体に軸着されている軸方向に対して垂直な係止受け部を備えたものであり、かつ、前記扉が前記本体に対して閉じた状態である場合には、前記扉における前記係止部が前記本体における前記係止受け部に対して係止されることにより、当該扉が前記本体に軸着されている軸方向に向かう当該扉の変位が制限され、前記扉が前記本体に対して開いている場合には、前記扉における前記係止部が前記本体における前記係止受け部に対して係止されず、前記本体に対して着脱自在であり、前記本体若しくは前記扉のいずれかに当該扉を軸着させるための第一の突起部が備えられており、かつ、前記本体若しくは前記扉のいずれかであり、当該第一の突起部が備えられた一とは異なる他に、当該第一の突起部と係合し、当該扉を軸着させるための第一の突起受け部が備えられており、かつ、前記本体若しくは前記扉のいずれかに当該扉を軸着させるための第二の突起部が備えられており、かつ、前記本体若しくは前記扉のいずれかであり、当該第二の突起部が備えられた一とは異なる他に、当該第二の突起部と係合し、当該扉を軸着させるための第二の突起受け部が備えられており、かつ、前記第一の突起受け部は、弾性部材と、当該弾性部材の付勢に反して変位可能な変位部材と、当該第一の突起受け部が備えられた前記本体若しくは前記扉のいずれかに固定された固定部材とを備え、前記変位部材の一端には、前記弾性部材が装着され、前記固定部材には、前記第一の突起部が係合される切欠きが形成され、当該切欠きの両側方には、前記変位部材をその中央で回動自在に軸着するための第一突起と、前記変位部材の他端を係止させるための第二突起が形成され、前記扉が前記本体に対して開いている状態である場合において、前記弾性部材の付勢に反して前記変位部材を変位させたときには、前記変位部材の他端が前記第一の突起部の係止から逃れ前記第一の突起部を挿脱可能な状態とするものであり、前記第一の突起部を前記第一の突起受け部から脱した場合には、前記扉を前記本体に対して脱することが可能となり、前記本体には、板形状の支持板が装着されており、前記扉には、その後方に突出し下方に半円状の弧が向くように設けられた半円形状の補助部材が装着されており、前記支持板は、前記扉が前記本体に対して開放した状態から閉じた状態にされる場合には、半円形状である前記補助部材の下方である半円状の縁端を下方から支持することを特徴とする遊技機。
【手続補正３】
【補正対象書類名】明細書
【補正対象項目名】００１２
【補正方法】変更
【補正の内容】
【００１２】
このような発明によれば、「前記扉は、当該扉が回動する回動面に対して水平な係止面を備えたものであり、かつ、前記本体は、前記扉が回動する回動面に対して水平な係止受け面を備えたものであり、かつ、前記扉が前記本体に対して閉じている場合には、前記扉における前記係止面が前記本体における前記係止受け面に対して係合されることにより、当該扉が回動する回動面に対して垂直な方向に向かう当該扉の変位が制限され、前記扉が前記本体に対して開いている場合には、前記扉における前記係止面が前記本体における前記係止受け面に対して係合されず、当該本体に対して着脱自在であ」るので扉を着脱可能としたリサイクル、リユースを意識した遊技機において、扉が軸着されている軸方向に対する本体と扉との機密性を保つことができる。
また、「前記本体若しくは前記扉のいずれかに当該扉を軸着させるための第一の突起部が備えられており、かつ、前記本体若しくは前記扉のいずれかであり、当該第一の突起部が備えられた一とは異なる他に、当該第一の突起部と係合し、当該扉を軸着させるための第一の突起受け部が備えられており、かつ、前記本体若しくは前記扉のいずれかに当該扉を軸着させるための第二の突起部が備えられており、かつ、前記本体若しくは前記扉のいずれかであり、当該第二の突起部が備えられた一とは異なる他に、当該第二の突起部と係合し、当該扉を軸着させるための第二の突起受け部が備えられており、かつ、前記第一の突起受け部は、弾性部材と、当該弾性部材の付勢に反して変位可能な変位部材と、当該第一の突起受け部が備えられた前記本体若しくは前記扉のいずれかに固定された固定部材とを備え、前記変位部材の一端には、前記弾性部材が装着され、前記固定部材には、前記第一の突起部が係合される切欠きが形成され、当該切欠きの両側方には、前記変位部材をその中央で回動自在に軸着するための第一突起と、前記変位部材の他端を係止させるための第二突起が形成され、前記扉が前記本体に対して開いている状態である場合において、前記弾性部材の付勢に反して前記変位部材を変位させたときには、前記変位部材の他端が前記第一の突起部の係止から逃れ前記第一の突起部を挿脱可能な状態とするものであり、前記第一の突起部を前記第一の突起受け部から脱した場合には、前記扉を前記本体に対して脱することが可能」なので、軸着されている軸方向に対する本体と扉との機密性を保つことができる。
また、扉が本体部に対して軸着されている状態においては、変位部材を、弾性部材の付勢に反して回動させるとともに、扉を傾斜させることにより、第一の突起部を切欠きから脱することができるので、容易に扉を本体部から取り外すことが可能となる。また、取り外した扉を交換することにより、他の機種として使用することができ、新たな遊技を提供するとともに、交換可能な扉としてリユース・リサイクルが容易にできる。
更に、「前記本体には、板形状の支持板が装着されており、前記扉には、その後方に突出し下方に半円状の弧が向くように設けられた半円形状の補助部材が装着されており、前記支持板は、前記扉が前記本体に対して開放した状態から閉じた状態にされる場合には、半円形状である前記補助部材の下方である半円状の縁端を下方から支持する」ので、扉が本体部に対して開放した状態から閉じた状態にされる場合には、扉を上方に僅かに持ち上げるようスムーズに扉を閉じることが可能となる。
【手続補正４】
【補正対象書類名】明細書
【補正対象項目名】０１４９
【補正方法】変更
【補正の内容】
【０１４９】
【発明の効果】
本発明によれば、扉を着脱可能としたリサイクル、リユースを意識した遊技機において、扉が軸着されている軸方向に対する本体と扉との機密性を保つことができる。